(57)【要約】      （修正有）【課題】良好な画像濃度を得ることができる非水系顔料インク及び非水系顔料インクセットを提供する。【解決手段】顔料、顔料分散剤、非水系溶剤、及びインク全体に対し０．０１質量％〜５．００質量％であるニグロシン染料を含む、非水系顔料インクである。また、第１の顔料としてのブラック顔料、第１の顔料分散剤、及び第１の非水系溶剤を含む第１のインクと、第２の顔料としてのシアン、マゼンタ、またはイエローのいずれかの顔料、第２の顔料分散剤、及び第２の非水系溶剤を含む第２のインクとを含み、前記第１のインク及び第２のインクのうち少なくとも一方にニグロシン染料を含む、非水系顔料インクセット。【選択図】なし【特許請求の範囲】
【請求項１】
顔料、顔料分散剤、非水系溶剤、及びニグロシン染料を含む、非水系顔料インク。
【請求項２】
前記ニグロシン染料は、インク全体に対し０．０１質量％〜５．００質量％である、請求項１に記載の非水系顔料インク。
【請求項３】
ピエゾ型インクジェット用インクである、請求項１又は２に記載の非水系顔料インク。
【請求項４】
第１の顔料としてのブラック顔料、第１の顔料分散剤、及び第１の非水系溶剤を含む第１のインクと、
第２の顔料としてのシアン、マゼンタ、またはイエローのいずれかの顔料、第２の顔料分散剤、及び第２の非水系溶剤を含む第２のインクと、を含み、
前記第１のインク及び第２のインクのうち少なくとも一方にニグロシン染料を含む、
非水系顔料インクセット。
【発明の詳細な説明】
【技術分野】
【０００１】
本発明は、非水系顔料インク及び非水系顔料インクセットに関する。
【背景技術】
【０００２】
インクジェット記録システムは、流動性の高い液体インクを微細なノズルから噴射し、紙等の記録媒体に付着させて印刷を行なう印刷システムである。このシステムは、比較的安価な装置で、高解像度、高品位の画像を、高速かつ低騒音で印刷可能という特徴を有し、最近急速に普及している。
【０００３】
インクジェット記録システムに用いられるインクの色材としては、顔料を利用したものと染料を利用したものに大別される。このうち、高画質印刷に必要な耐光性、耐候性および耐水性に優れていることから、顔料を色材とするインクが増加する傾向にある。
【０００４】
溶剤からみると、インクは大きく、水系タイプインクと非水系タイプインクに分けられる。揮発性溶剤を主体とする溶剤系インクや不揮発性溶剤を主体とするオイル系インクのように、インク用溶媒として水を使用しない非水系インクは、機上安定性（間欠吐出性、長時間放置後の吐出回復性など）が良い、印刷用紙のカールがない、インクの浸透乾燥時間が短い、などの特徴を有し注目されている。
【０００５】
非水系タイプインクでは、一般に、溶剤に溶解する顔料分散剤を用いるところ、この顔料分散剤が溶剤と顔料との親和性を高めるため、溶剤が記録紙に浸透する際に顔料も記録紙内部に引き込まれやすい傾向がある。その結果、記録紙表面の印刷濃度が低くなりやすいという問題がある。
【０００６】
特許文献１には、顔料及び染料を含有するとともに、特定の分散媒、樹脂、及び添加剤を含有するインクジェット用記録液が開示されている。特許文献１の提案によれば、顔料のみの場合、カラーＯＨＰ印字やフルカラー印字の際に透光性が悪いため、顔料と染料とを含有させて透光性を得ている。また、特許文献１の実施例では、カラー顔料と同系色の染料が使用されており、顔料のみの場合の透光性の問題を補うために染料を併用していることがわかる。したがって、特許文献１には、顔料が溶剤とともに記録紙内部に引き込まれ、記録紙表面の印刷濃度が低下することについて言及されておらず、このような画像濃度の低下を解決する提案はされていない。
【先行技術文献】
【特許文献】
【０００７】
【特許文献１】特開平０７−１０９４３０号公報
【発明の概要】
【発明が解決しようとする課題】
【０００８】
そこで本発明は、良好な画像濃度を得ることができる非水系顔料インク及び非水系顔料インクセットを提供することを目的とする。
【課題を解決するための手段】
【０００９】
本発明の一側面としては、顔料、顔料分散剤、非水系溶剤、及びニグロシン染料を含む、非水系顔料インクである。
【００１０】
本発明の他の側面としては、第１の顔料としてのブラック顔料、第１の顔料分散剤、及び第１の非水系溶剤を含む第１のインクと、第２の顔料としてのシアン、マゼンタ、またはイエローのいずれかの顔料、第２の顔料分散剤、及び第２の非水系溶剤を含む第２のインクと、を含み、前記第１のインク及び第２のインクのうち少なくとも一方にニグロシン染料を含む、非水系顔料インクセットである。
【発明の効果】
【００１１】
本発明の非水系顔料インク及び非水系顔料インクセットによれば、良好な画像濃度を得ることができる。
【発明を実施するための形態】
【００１２】
以下、本発明に係る実施の形態について説明するが、本実施の形態における例示が本発明を限定することはない。
【００１３】
本発明の非水系顔料インク（以下、単に「インク」と称することがある）は、顔料、顔料分散剤、非水系溶剤、及びニグロシン染料を含む。本発明のインクによれば、良好な画像濃度を得ることができる。
【００１４】
インク中に顔料分散剤が含まれると、顔料分散剤が溶剤と顔料との親和性を高め、溶剤が記録紙に浸透する際に顔料も記録紙内部に引き込まれやすくなる。本発明のインクによれば、インク中にニグロシン染料が含まれることで、インクが記録紙上に塗布されると、記録紙上で顔料が凝集しやすくなり、記録紙の表層に顔料が留まり、高い画像濃度を得ることができる。本発明者らは、ニグロシン染料が、記録紙上で顔料粒子を凝集させる何らかの作用を有することを見出し、本発明に至った。
【００１５】
本発明のインクは、ニグロシン染料を含む。ニグロシン染料は、黒色系の油溶染料である。ニグロシン染料は樹脂変性の有無や種類に限定されず、インク中にニグロシン染料を含むことで、記録紙上で高い画像濃度を得ることができる。
【００１６】
上記ニグロシン染料は後述する非水系溶剤に分散することが好ましい。ニグロシン染料は油溶性染料であるが、ニグロシン染料と非水系溶剤の極性を調整することで、ニグロシン染料を非水系溶剤に分散させることができる。ここで、「分散する」状態としては、ニグロシン染料が非水系溶剤に完全に溶解する状態ではなく、ニグロシン染料の一部または全体が分散質となって非水系溶剤中に分散する状態を表す。
【００１７】
ニグロシン染料が非水系溶剤に分散することで、インクが記録紙上に塗布されると、非水系溶剤からニグロシン染料が離脱しやすくなり、非水系溶剤が記録紙内部に浸透する一方でニグロシン染料は記録紙表層に留まり、記録紙の表層で顔料とニグロシン染料が接触して顔料が凝集し、画像濃度の低下を防止することができる。
【００１８】
上記ニグロシン染料は、インク中での分散性、例えば分散粒子径、粘度、貯蔵安定性の観点から、変性ニグロシン染料を使用することが好ましい。インクジェット用インクでは、インクジェットヘッドからのインクの吐出特性ために、インクの粘度や貯蔵安定性の適正化が重要である。インク中の添加剤の量や、ニグロシン染料と分散剤との組み合わせによって、粘度や貯蔵安定性が変化する場合に、変性ニグロシン染料を使用することで、粘度や貯蔵安定性を適正化することができる。
【００１９】
変性ニグロシン染料としては、オレイン酸のような脂肪酸や、フマル酸などの有機酸、ロジン変性等の樹脂とニグロシン染料との混合物を使用することができる。
【００２０】
市販されているニグロシン染料の具体例としては、未変性ニグロシン染料については、オリエント化学工業株式会社製ＢＯＮＴＲＯＮ  Ｎ−０１、ＯＩＬ  ＢＬＡＣＫ  Ｎｏ．７、及び中央合成化学株式会社製ＣＣＡ−１、ＣＣＡ−２等が挙げられ、変性ニグロシン染料については、オリエント化学工業株式会社製ＢＯＮＴＲＯＮ  Ｎ−０４（ロジン変性樹脂変性）、Ｎ−２１（直鎖アルキルベンゼンスルホン酸変性）、ＯＩＬ  ＢＬＡＣＫ  Ｎｏ．５（脂肪酸変性）、及び中央合成化学株式会社製ＣＣＡ−３（ロジン変性樹脂変性）等が挙げられる。
【００２１】
上記ニグロシン染料は、インク全体に対し０．０１質量％〜５．００質量％であることが好ましい。ニグロシン染料が０．０１質量％以上であることで、記録紙上で顔料を凝集する作用を十分に得て、画像濃度を向上させることができる。インク中のニグロシン染料の含有量が増加すると、記録紙上で顔料を凝集する作用によって画像濃度が十分に得られるが、一方で、インクの貯蔵安定性が低下することがある。そのため、ニグロシン染料は５．００質量％以下であることが好ましい。
【００２２】
また、ニグロシン染料をブラック顔料と併用する場合では、ニグロシン染料の含有量は、貯蔵安定性の観点から、０．１５質量％〜５．００質量％とすることが好ましく、さらに０．１５質量％〜３．００質量％がより好ましく、０．５０質量％〜１．００質量％が一層好ましい。
【００２３】
また、ニグロシン染料をカラー顔料と併用する場合では、ニグロシン染料の含有量は、０．０１質量％〜０．１０質量％の範囲で、画像濃度の向上の効果を十分に得ることができる。なお、カラーインクにおいてニグロシン染料を多く含有すると色相が変化することがあるが、色相は使用用途に応じて異なるため、ニグロシン染料の含有量は色相及び画像濃度の観点から適宜調整するとよい。ここで、カラー顔料としては、特に限定されず、シアン顔料、マゼンタ顔料、イエロー顔料等の各種のカラー顔料を使用することができる。
【００２４】
本発明の顔料としては、たとえば、アゾ系、フタロシアニン系、染料系、縮合多環系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；コバルト、鉄、クロム、銅、亜鉛、鉛、チタン、バナジウム、マンガン、ニッケル等の金属類、金属酸化物および硫化物、ならびに黄土、群青、紺青等の無機顔料、ファーネスカーボンブラック、ランプブラック、アセチレンブラック、チャンネルブラック等のカーボンブラック類を用いることができる。これらの顔料は、いずれか１種が単独で用いられるほか、２種以上が組み合わされて使用されてもよい。
【００２５】
本発明のインクは何色であってもよく、ブラック顔料の他、シアン顔料、マゼンタ顔料、イエロー顔料等の各種のカラー顔料を使用することができる。
【００２６】
顔料の平均粒径は、分散性と保存安定性の観点から３００ｎｍ以下であることが好ましく、１５０ｎｍ以下であることがより好ましい。ここで、顔料の平均粒径は、株式会社堀場製作所製の動的光散乱式粒度分布測定装置ＬＢ−５００により測定された値である。
【００２７】
顔料の含有量は、インク全体に対し、通常０．０１質量％〜２０．００質量％であり、印刷濃度とインク粘度の観点から３．００質量％〜１５．００質量％であることが好ましい。
【００２８】
本発明の顔料分散剤としては、特に限定されず、顔料を溶剤中に安定して分散させるものであればよい。たとえば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等が好適に使用され、そのうち、高分子分散剤の使用が好ましい。
【００２９】
市販されている分散剤の具体例としては、ソルスパース１７０００、ソルスパース１８０００、ソルスパース１３９４０、ソルスパース２８０００、ソルスパース１１２００（いずれも商品名、日本ルーブリゾール株式会社製）；フローレンＤＯＰＡ−１５Ｂ（商品名、共栄社化学株式会社製）；ＤＡ−７０３−５０、ＤＡ−７３００、ＤＡ２３４（いずれも商品名、楠本化成株式会社製）；Ｄｉｓｐｅｒｂｙｋ−１０１(商品名、ＢｙｋＣｈｅｍｉｅ社製)；ヒノアクト（商品名、川研ファインケミカル株式会社製）：Ａｎｔａｒｏｎ  Ｖ−２１６、Ｇａｎｅｘ  Ｖ−２１６、Ａｎｔａｒｏｎ  Ｖ−２２０、Ｇａｎｅｘ  Ｖ−２２０（いずれも商品名、ＩＳＰ社製）；Ｕｎｉｍｅｒ  Ｕ−１５１、Ｕｎｉｍｅｒ  Ｕ−１５（いずれも商品名、Ｉｎｄｕｃｈｅｍ社製）が挙げられる。
【００３０】
これらの顔料分散剤は、１種又は２種以上を組み合わせて使用してもよい。
【００３１】
インク中の顔料分散剤の配合量は、適宜設定できるが、顔料分散性の観点から、質量比で、顔料１に対し０．０５〜１．００程度であることが好ましい。インク全体に対しては、顔料分散剤は、０．５０質量％〜１０．００質量％程度含まれていることが好ましい。
【００３２】
本発明のインクは、非水系溶剤を含む。非水系溶剤とは、非極性有機溶剤および極性有機溶剤であって、５０％留出点が１５０℃以上の溶剤をいう。５０％留出点は、ＪＩＳ  Ｋ００６６「化学製品の蒸留試験方法」に従って測定される、質量で５０％の溶剤が揮発したときの温度を意味する。
【００３３】
たとえば、非極性有機溶剤としては、脂肪族炭化水素溶剤、脂環式炭化水素系溶剤、芳香族炭化水素溶剤等を好ましく挙げることができる。脂肪族炭化水素溶剤、脂環式炭化水素系溶剤としては、たとえば、日本石油（株）製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、Ｉｓｏｐａｒ  Ｈ、Ｉｓｏｐａｒ  Ｌ、Ｉｓｏｐａｒ  Ｍ、Ｅｘｘｓｏｌ  Ｄ４０、Ｅｘｘｓｏｌ  Ｄ８０、Ｅｘｘｓｏｌ  Ｄ１００、Ｅｘｘｓｏｌ  Ｄ１３０、Ｅｘｘｓｏｌ  Ｄ１４０」等を好ましく挙げることができる。芳香族炭化水素溶剤としては、日本石油（株）製「日石クリーンソルＧ」（アルキルベンゼン）、Ｅｘｘｏｎ社製「ソルベッソ２００」等を好ましく挙げることができる。
【００３４】
極性有機溶剤としては、エステル系溶剤、アルコール系溶剤、高級脂肪酸系溶剤、エーテル系溶剤、およびこれらの混合溶剤を用いることができる。たとえば、炭素数８〜２０の高級脂肪酸と炭素数１〜２４のアルコールとのエステルであるエステル系溶剤、炭素数８〜２４の高級アルコール、および炭素数８〜２０の高級脂肪酸からなる群から選ばれた１種以上を好ましく使用できる。
【００３５】
極性有機溶剤としてより具体的には、ラウリル酸メチル、ラウリル酸イソプロピル、ミリスチン酸イソプロピル、パルミチン酸イソプロピル、パルミチン酸イソステアリル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２−エチルヘキサン酸グリセリルなどのエステル系溶剤；イソミリスチルアルコール、イソパルミチルアルコール、イソステアリルアルコール、オレイルアルコール、ヘキシルデカノール、オクチルドデカノール、デシルテトラデカノールなどのアルコール系溶剤；ノナン酸、イソノナン酸、イソミリスチン酸、ヘキサデカン酸、イソパルミチン酸、オレイン酸、イソステアリン酸などの高級脂肪酸系溶剤；ジエチルグリコールモノブチルエーテル、エチレングリコールモノブチルエーテル、プロピレングリコールモノブチルエーテル、プロピレングリコールジブチルエーテルなどのエーテル系溶剤、が好ましく挙げられる。
【００３６】
これらの非水系溶剤は、単独で、または２種以上を組み合わせて使用することができる。非水系溶剤中でのニグロシン染料の分散安定性の観点から、極性有機溶剤を単独で、または非極性有機溶剤と組み合わせて配合することが好ましいと考えられる。
【００３７】
以上の各成分に加え、インクには、必要に応じて、本発明の目的を阻害しない範囲内で、当該分野において通常用いられている各種添加剤を含ませることができる。
【００３８】
具体的には、消泡剤、表面張力低下剤等として、アニオン界面活性剤、カチオン界面活性剤、両性界面活性剤、非イオン界面活性剤、または高分子系、シリコーン系、フッ素系の界面活性剤をインクに含有させることができる。
【００３９】
酸化防止剤を配合することにより、インク成分の酸化を防止し、インクの保存安定性を向上させることができる。酸化防止剤としては、たとえば、ジブチルヒドロキシトルエン、没食子酸プロピル、トコフェロール、ブチルヒドロキシアニソ−ル、ノルジヒドログアヤレチック酸等が使用でき、これらを単独で用いても、２種以上を混合して用いてもよい。
【００４０】
インクは、ボールミル、ビーズミル等の任意の分散手段を用いて配合成分を混合することによって調製できるが、たとえば、顔料と、顔料分散剤と、非水系溶剤とを含む顔料分散体をまず調製し、さらに非水系溶剤およびその他の任意の成分を加えて製造することができる。顔料分散体を調製する際の非水系溶剤（あるいは希釈溶剤）は、インクに含まれる非水系溶剤と同じであることが好ましく、さらには分散剤を溶液重合により合成する場合には、その重合溶媒と同じであることが好ましい。
【００４１】
本発明のインクは、インクジェット記録装置用として好ましく使用できる。インクジェット用インクとして用いる場合のインクの粘度は、吐出ヘッドのノズル径や吐出環境等によってその適性範囲は異なるが、一般に、２３℃において５〜３０ｍＰａ・ｓであることが好ましく、５〜１５ｍＰａ・ｓであることがより好ましく、約１０ｍＰａ・ｓ程度であることが最も適している。ここで粘度は、２３℃において０．１Ｐａ／ｓの速度で剪断応力を０Ｐａから増加させたときの１０Ｐａにおける値を表す。
【００４２】
次に、第１のインクと第２のインクとを含む非水系顔料インクセット（以下、単に「インクセット」と称することがある）について説明する。
【００４３】
本発明のインクセットは、第１の顔料としてのブラック顔料、第１の顔料分散剤、及び第１の非水系溶剤を含む第１のインクと、第２の顔料としてのシアン、マゼンタ、またはイエローのいずれかの顔料、第２の顔料分散剤、及び第２の非水系溶剤を含む第２のインクと、を含み、第１のインク及び第２のインクのうち少なくとも一方にニグロシン染料を含むことを特徴とする。
【００４４】
第１のインク及び第２における各配合成分の詳細は、その任意成分や粘度特性も含め、上述のとおりである。
【００４５】
本発明のインクセットは、好ましくは、第１のインク及び第２のインクのうち一方のインクを記録紙に印刷した後に、その印刷領域に他方のインクを重ねて印刷して使用される。これによって、各インクを単独で使用する場合に比べ、黒インクとして高い画像濃度を得ることができる。この場合、第１のインク及び第２のインクのいずれか一方にニグロシン染料が含まれることで、重ね印刷での画像濃度向上の効果を得ることができる。特に、第１のインクにニグロシン染料が含まれることが好ましい。さらに、第１のインク及び第２のインクの両方にニグロシン染料が含まれることで、画像濃度向上の効果をより得ることができる。
【００４６】
第２のインクに含まれる第２の顔料分散剤として、ポリエステル側鎖を有する含窒素グラフト共重合体（以下、これを「グラフトＰＮ」ともいう）を使用することで、重ね印刷の際により高い画像濃度を得ることができる。なお、第２の顔料分散剤は、これに限定されず、上述した各種顔料分散剤を使用してもよい。
【００４７】
グラフトＰＮは、グラフト鎖がポリエステルであり、主鎖が含窒素ポリマーである櫛形構造の共重合体である。
【００４８】
より詳細には、たとえば、ポリアルキレンイミンのような多数の窒素原子を含有する主鎖を備え、かつ、この窒素原子を介してアミド結合した側鎖を複数備える化合物であって、この側鎖がポリエステル鎖であるようなポリマーが例示できる。こうしたポリマーは、たとえば、特開平５−１７７１２３号公報（米国特許第４，６４５，６１１号明細書）に開示されている。
【００４９】
主鎖である含窒素ポリマーの質量平均分子量は、６０万以下であることが好ましく、複数の側鎖を備えることが好ましく、側鎖の重合度は３〜８０程度であることが好ましいが、いずれもこれらに限定されることはない。主鎖は、ポリエチレンイミンのようなポリアルキレンイミンであることが好ましく、ポリアルキレンイミンは、直鎖であっても枝分れ鎖であってもよく、枝分れ鎖であることがより好ましい。側鎖は、（カルボニル−Ｃ３〜Ｃ６−アルキレンオキシ基）を単位とする重合体であることが好ましく、アミドまたは塩架橋基によって主査に結合していることが好ましい。
【００５０】
好ましく使用できる市販品としては、日本ルーブリゾール株式会社製ソルスパース２８０００、ソルスパース１１２００、ソルスパース１３９４０等が挙げられる。
【００５１】
上記本発明のインク、および、本発明のインクセットは、インクジェット記録システム用として好ましく使用することができる。インクジェットプリンタの方式は、特に限定されないが、ピエゾ型であることが好ましい。ピエゾ型インクジェット方式では、インクがインクジェットヘッドから振動によって吐出されるため、インク中の顔料及びニグロシン染料が分散安定性を維持したまま記録紙まで到達し、インクが記録紙上に付着するとインク中の顔料がニグロシン染料の作用によって凝集される。これによって、記録紙上で顔料が凝集し、画像濃度の低下を防止することができる。インクジェット記録装置を用いる場合は、デジタル信号に基づいてインクジェットヘッドから本発明のインクを吐出させ、吐出されたインク液滴を記録紙に付着させるようにする。
【実施例】
【００５２】
以下、本発明を実施例により詳しく説明するが、本発明はこれらに限定されるものではない。
【００５３】
＜インクの作製＞
表１に示す各成分を調合し、ブラックインクを作製した。具体的には、２５０ｍｌのポリプロピレン容器に、顔料、分散剤、染料、溶剤の一部を入れて混合し、ジルコニアビーズ（直径０．５ｍｍ）を入れて、ロッキングミル（株式会社セイワ技研）により１２０分間分散して分散体を得た。この分散体に、残りの溶剤を混合し、得られた混合物を３．０μｍのメンブランフィルターで濾過してゴミおよび粗大粒子を取り除き、ブラックインクを得た。
【００５４】
表２に示す各成分を調合し、同様にシアンインクを作製した。また、表３に示す組み合わせでインクセットを用意した。
【００５５】
各表で使用した各成分を以下に示す。
カーボンブラック：三菱化学株式会社製ＭＡ８
シアン顔料：三陽色素株式会社製フタロシアニンブルー
Ｓ１１２００：日本ルーブリゾール株式会社製ソルスパース１１２００
Ａｎｔａｒｏｎ  Ｖ２１６：ＩＳＰジャパン株式会社製Ａｎｔａｒｏｎ  Ｖ２１６
未変性ニグロシン染料：オリエント化学工業株式会社製ＢＯＮＴＲＯＮ  Ｎ−０１
脂肪酸変性ニグロシン染料：オリエント化学工業株式会社製ＯＩＬ  ＢＬＡＣＫ  ＮＯ．５
ロジン変性樹脂変性ニグロシン染料：中央合成化学株式会社製ＣＣＡ−３
油溶性染料（アントラキノン系染料）：住友ケムテックス株式会社製ＳＵＭＩＰＬＡＳＴ  ＢＬＵＥ  ＯＡ
水溶性染料（アゾ系染料）：日本化薬株式会社製ＫＳＴ  Ｂｌａｃｋ  Ｊ−ＢＬ
油溶性染料（アゾ系染料）：オリエント化学工業株式会社製ＶＡＬＩＦＡＳＴ  ＢＬＡＣＫ  ３８２０
オレイン酸メチル：花王株式会社製エキセパールＭ−ＯＬ
ＡＦ−６：新日本石油株式会社製ＡＦソルベント６号（ナフテン系溶剤）
【００５６】
＜単色印刷＞
表１に示すブラックインク、表２に示すシアンインクを使用して、用紙（理想用紙薄口、理想科学工業株式会社製）に、べた画像を印刷した。具体的には、インクジェット記録装置として「ＨＣ５５００」（理想科学工業株式会社製）を使用した。「ＨＣ５５００」は、３００ｄｐｉのライン型インクジェットヘッド（各ノズルが約８５μｍ間隔で並ぶ）を使用し、主走査方向（ノズルが並んでいる方向）に直行する副走査方向に用紙を搬送して、印字を行うシステムである。各インクを、インクジェット記録装置「ＨＣ５５００」に装填し、用紙に対し、液滴４２ｐｌで３００ｄｐｉ相当のべた画像を印刷した。
【００５７】
＜重ね印刷＞
表３に示すインクセットを使用して、上記したインクジェット記録装置「ＨＣ５５００」により、用紙（理想用紙薄口、理想科学工業株式会社製）に、最初にシアンインクを吐出しべた画像を印刷し、直後に、シアンインクの印刷領域にブラックインクを吐出しべた画像を印刷した。印刷方法は、上記した単色印刷と同様とした。
【００５８】
＜評価結果＞
実施例及び比較例の各インクについて以下の評価を行った。評価結果を表１〜表３に併せて示す。
【００５９】
（画像濃度）
表１〜表３の各インク及びインクセットを用いて得られた印刷物の画像濃度を評価した。印刷物の画像濃度は、印刷後２４時間経過後の印刷面（表面）のＯＤ値をマクベス濃度計（マクベス社製ＲＤ９２０）により測定し、以下の基準で評価した。
◎：ＯＤ値＞１．２０
○：ＯＤ値＝１．１５〜１．２０
×：ＯＤ値＜１．１５
【００６０】
（インク粘度）
表１及び表２の各インクの粘度を測定した。インクの粘度は、２３℃において０．１Ｐａ／ｓの速度で剪断応力を０Ｐａから増加させたときの１０Ｐａにおける粘度を測定した。その結果、いずれのインクも、８〜１２ｍＰａ・ｓの、インクジェット用インクとして適正な粘度を備えていた。
【００６１】
【表１】
2011032310.tif 000002
【００６２】
【表２】
2011032310.tif 000003
【００６３】
【表３】
2011032310.tif 000004
【００６４】
表１及び表２に示すとおり、各実施例のインクはニグロシン染料を含み、画像濃度が高かった。実施例６のインクは、ニグロシン染料を多く含むため、画像濃度が高かったが、貯蔵安定性が若干低下した。インクセットの場合、表３に示すとおり、ニグロシン染料を含むブラックインクを使用すると画像濃度が高く、ブラックインクとシアンインクの両方にニグロシン染料が含まれると画像濃度がさらに高かった。